(57)【要約】無線装置（３００）の音声チャンネル上でデータを通信する、システム、方法、およびコンピュータ可読媒体が開示される。無線装置（３００）における方法は、第２の装置とのオーディオ接続を確立することと、ユーザが第２の装置にデータを送信するインタフェース（３２６）を提供することを含んでいる。この方法は、ユーザによるインタフェース（３２６）の起動を検出することと、第２の装置とのオーディオ接続中に第２の装置に第１のデータを送信することをさらに含み、オーディオ接続の品質はその送信による影響を受けない。この方法は、第１のデータに関連付けられた第２のデータを第２の装置から受信することと、第１のデータを第２のデータに同期させることをさらに含んでいる。Ｖｃａｒｄ情報などの情報は、オーディオ接続中に音声チャンネル上でデータを通信する複数の装置間で、無線的方法で交換することができる。
2007511138.tif 000002
【特許請求の範囲】
【請求項１】
音声チャンネル上でデータを通信する無線装置における方法であって、
無線装置と第２の無線装置との間の少なくとも１つの無線音声通信チャンネルを含む音声チャンネルを通して、前記無線装置と前記第２の無線装置との間のオーディオ通信を確立するステップと、
前記無線装置をユーザが使用して前記音声チャンネルを通して前記無線装置と前記第２の無線装置との間でデータを通信するための、ユーザインタフェースを提供するステップと、
前記ユーザによる前記ユーザインタフェースの起動を検出するステップと、
前記音声チャンネル上での前記無線装置と前記第２の無線装置との間の無線オーディオ通信中に、前記音声チャンネル上で、少なくとも前記無線装置と前記第２の無線装置との間で第１のデータを実質的に通信するステップと、
を含む方法。
【請求項２】
前記無線装置からの前記第１のデータであって、前記第２の無線装置により受信される対象である前記第１のデータを、前記音声チャンネルに無線で送信するステップと、
前記第２の無線装置により前記音声チャンネルに送信された前記第１のデータを、前記音声チャンネルから前記無線装置により無線で受信するステップと、
前記無線装置からの前記第１のデータであって、前記第２の無線装置により受信される対象である前記第１のデータを、前記音声チャンネルに無線で送信し、かつ前記第２の無線装置により前記音声チャンネルに送信された、前記第１のデータに関連付けられた第２のデータを、前記音声チャンネルから無線で受信するステップと、
のうちの少なくとも１つをさらに含む、請求項１に記載の方法。
【請求項３】
前記無線装置および前記第２の無線装置の両方に対して、それらの間の無線通信により前記音声チャンネル上で前記第１のデータを第２のデータに同期させるステップをさらに含む、請求項１に記載の方法。
【請求項４】
前記第１のデータが同期されたことを示すメタデータを前記第１のデータに関連付けるステップをさらに含む、請求項３に記載の方法。
【請求項５】
前記第１のデータが修正され、かつ前記第１のデータに関連付けられたメタデータが前記第１のデータが同期されたことを示す場合に、前記第１のデータを前記第２のデータに自動的に同期させるステップをさらに含む、請求項４に記載の方法。
【請求項６】
音声チャンネルでデータを通信する無線装置であって、
第２の装置とのオーディオ接続を確立するプロセッサと、
ユーザが前記第２の装置にデータを送信するインタフェースと、
前記ユーザによる前記インタフェースの起動を検出する検出器と、
前記プロセッサと通信可能に結合されたメモリであって、前記検出器が前記インタフェースの起動を検出した場合、前記第２の装置とのオーディオ接続中に前記第２の装置に送信する第１のデータを格納するメモリと、
を備える無線装置。
【請求項７】
前記第２の装置から受信した、前記第１のデータに関連付けられた第２のデータを格納するメモリをさらに備える、請求項６に記載の無線装置。
【請求項８】
前記第１のデータを前記第２のデータに同期させる同期装置をさらに備える、請求項７に記載の無線装置。
【請求項９】
前記第１のデータに関連付けられた、前記第１のデータが同期されたことを示すメタデータを格納するメモリをさらに備える、請求項８に記載の無線装置。
【請求項１０】
前記同期装置がさらに、前記第１のデータが修正され、かつ前記第１のデータに関連付けられたメタデータが前記第１のデータが同期されたことを示す場合に、前記第１のデータを前記第２のデータに自動的に同期させる、請求項９に記載の無線装置。
【発明の詳細な説明】
【技術分野】
【０００１】
本発明は、一般に通信システムの分野に関し、より具体的には音声チャンネル上のデータの転送に関する。
【背景技術】
【０００２】
ページャおよび携帯電話の出現により、無線サービス産業は、数十億ドル産業に成長した。最近では、二重無線装置の人気が高まってきている。二重無線装置は、同一チャンネル上での音声と他の情報との交換を可能にする。このことは、コンタクト情報、カレンダー情報、ならびに画像、映像およびオーディオのカタロギングの管理のような、電話通信ではない他の機能を実行する多目的無線装置にとって好都合である。多目的無線装置のユーザは、これらの製品の二重特性を利用して、会話し、かつ情報交換を行っている。しかしながら、現在の多目的無線装置には欠点がある。
【発明の開示】
【発明が解決しようとする課題】
【０００３】
現在の多目的無線装置に関する１つの問題は、音声とデータとを同時に伝送することができない点である。すなわち、別の機能を実行するために１つの機能を中断しなければならない。したがって、第１の当事者が現在通話中であって、無線装置を介して他の当事者にファイルを送信したい場合、その第１の当事者は、ファイルを送信するために通話を中断しなければならない。これは、今日の消費者にとって面倒かつ不便な場合がある。
【０００４】
現在の多目的無線装置に関する別の問題は、データの交換が煩雑で、管理の難しさがある点である。データの送信または受信は、単純なタスクを行うのに、有り余る数のスクリーンとメニュー選択による操作を伴うことが多い。これは、無線装置のユーザにとって苛立たしくかつ不便な場合がある。さらに、交換されるデータは絶えず生成され、修正されている。したがって、コンタクト情報またはカレンダー入力などのデータが無線装置を介して交換される場合、情報が修正されたときにその情報を後で更新する必要が出てくることが多い。これには、オリジナルデータの受取り側をリコールし、以前に生じたデータ交換の種類を判断する必要がある。大量かつ種々の情報量が対象となる場合、これは面倒で困難なタスクとなる可能性がある。
【０００５】
したがって、上述したような従来技術に関する課題を克服する必要がある。
【課題を解決するための手段】
【０００６】
簡潔に言えば、本発明に従い、無線装置の音声チャンネル上でデータを通信する、システム、方法、およびコンピュータ可読媒体が開示される。本発明の一実施形態において、無線装置に関する方法は、第２の無線装置とのオーディオ接続を確立することと、ユーザが第２の無線装置にデータを送信するインタフェースを提供することを含んでいる。この方法は、ユーザによるインタフェースの起動を検出することと、第２の無線装置とのオーディオ接続中に第２の無線装置に第１のデータを送信することをさらに含み、オーディオ接続の品質はその送信による影響を受けない。この方法は、第２の無線装置から、第１のデータに関連付けられた第２のデータを受信することと、第１のデータを第２のデータに同期させることをさらに含んでいる。この方法は、第１のデータが同期されたことを示すメタデータを第１のデータに関連付けること、第１のデータが修正され、かつ第１のデータに関連付けられたメタデータが第１のデータが同期されたことを示す場合に、第１のデータを第２のデータに自動的に同期させることをさらに含んでいる。
【０００７】
本発明の別の実施形態において、音声チャンネル上でデータを通信する無線装置は、第２の無線装置とのオーディオ接続を確立する電話通信プロセッサと、ユーザが第２の無線装置にデータを送信するインタフェースとを含んでいる。この無線装置は、ユーザによるインタフェースの起動を検出する検出器と、該検出器がインタフェースの起動を検出した場合に、第２の無線装置とのオーディオ接続中に第２の無線装置に送信する第１のデータとをさらに含み、オーディオ接続の品質はその送信による影響を受けない。
【０００８】
本発明の別の実施形態によれば、無線通信装置は、データを音声チャンネルで通信することができる。無線装置は、第２の遠隔端末装置とのオーディオ接続を確立するプロセッサと、プロセッサと通信可能に結合され、無線通信装置のユーザに対して指示するインジケータと、プロセッサと通信可能に結合され、第１の情報ファイルおよび第２の情報ファイルを格納するメモリとを備え、プロセッサは、第１の情報ファイルに関連する第１のデータを第２の遠隔端末装置に送信し、プロセッサはさらに、第２の遠隔端末装置から第２のデータを受信し、受信した第２のデータを第２の情報ファイルとしてメモリに格納し、該第１のデータおよび第２のデータは、第２の遠隔端末装置とのオーディオ接続中に音声チャンネル上を無線で伝送され、インジケータは、少なくとも第２の情報ファイルがメモリ内で作成されたことを示している。
【０００９】
一実施形態において、第２の情報ファイルは、Ｖｃａｒｄに関連する情報を含んでいる。
本発明の好ましい実施形態は、音声チャンネルの品質に影響を与えずに、音声チャンネル上で非音声データの伝送を提供するので好都合である。これにより、同一チャンネル上で、より大きな、異なった種類の情報の伝送が可能になる。さらに、本発明の好ましい実施形態は、以前に交換された情報の迅速かつ容易な更新を提供するので好都合である。データは連続的に修正され、生成されるので、本発明はデータの迅速な伝達を可能にする。これにより、修正された情報を絶えず更新し伝達するのに使用されるリソースの消費が低減される。
【発明を実施するための最良の形態】
【００１０】
本発明は、好ましい一実施形態によれば、無線装置が、オーディオチャンネルの品質に影響を与えることなく、オーディオチャンネル上でデータを送信し、受信し、かつ同期させることを可能にする方法、システム、およびコンピュータプログラム製品を提供することにより、従来技術に関する課題を克服するものである。
【００１１】
図１は、本発明の好ましい一実施形態による無線通信システムを示すブロック図である。図１の典型的な無線通信システムは、無線サービスプロバイダ１０２、無線ネットワーク１０４、および複数の無線装置１０６〜１０８を含んでいる。無線サービスプロバイダ１０２は、第１世代のアナログ携帯電話サービス、第２世代のデジタル携帯電話サービス、または第３世代のインターネット接続が可能な携帯電話サービスを提供する。典型的な無線ネットワーク１０４は、携帯電話ネットワーク、移動テキストメッセージ通信装置ネットワーク、ページャネットワーク等である。さらに、図１の無線ネットワーク１０４の通信規格は、符号分割多重アクセス方式（ＣＤＭＡ）、時分割多重アクセス方式（ＴＤＭＡ）、汎欧州デジタル移動電話方式（ＧＳＭ）、汎用パケット無線システム（ＧＰＲＳ）、周波数分割多重アクセス方式（ＦＤＭＡ）等である。
【００１２】
無線ネットワーク１０４は、携帯電話、スマートフォン、プッシュトゥトーク移動無線機、テキストメッセージ通信装置、ハンドヘルドコンピュータ、ページャ、ポケットベル等である、任意の数の無線装置１０６〜１０８をサポートしている。無線ネットワーク１０４は、データと音声／オーディオ情報とを同一チャンネル上で送信できるようにする、二重通信をさらにサポートしている。無線通信システムに適した二重通信を一般にサポー
トする、本発明の好ましい一実施形態による無線ネットワーク１０４は、２００３年４月３０日に出願された発明の名称「音声チャンネルにおけるデータ送信のための方法および装置（Ｍｅｔｈｏｄ  Ａｎｄ  Ａｐｐａｒａｔｕｓ  Ｆｏｒ  Ｔｒａｎｓｆｅｒｒｉｎｇ
Ｄａｔａ  Ｏｖｅｒ  Ａ  Ｖｏｉｃｅ  Ｃｈａｎｎｅｌ）の米国特許出願第１０／４２６，７５１号にさらに詳細に記載されており、その教示全体を参考として本明細書に組み込んでいる。
【００１３】
本発明の一実施形態において、無線ネットワーク１０４は、種々の携帯電話のビジネス用途のために設計された無線による解決策である、モトローラの統合デジタル移動通信（ｉＤＥＮ（登録商標））である。ｉＤＥＮ無線装置は、製造現場から重役会議室ならびに携帯電話の販売員に及ぶ、種々の作業環境で利用することができる。ｉＤＥＮ無線装置は、双方向デジタル無線、デジタル移動電話、英数字メッセージ通信、およびインターネットアクセス技術を活用するデータ／ファックス機能を含む種々の機能を提供する。ｉＤＥＮ無線装置は、スピーカーフォン、音声コマンド、電話帳、ボイスメール、デジタル双方向無線、携帯電話のインターネットおよび電子メール、無線モデム、音声起動、および音声記録を含む種々の機構をさらに含んでいる。
【００１４】
図２は、図１の無線通信システムのさらに詳細なブロック図である。図２の無線通信システムは、複数の基地局２０２、２０３、２０４に結合されたコントローラ２０１を含んでいる。また、図２の無線通信システムは、電話インタフェース２０６を通して外部ネットワークに接続されている。基地局２０２、２０３、２０４はそれぞれ、加入者装置または送受信器（すなわち、無線装置）１０６および１０８（図１参照）を含む地理的なサービスエリア部をサポートしている。無線装置１０６および１０８は、ＣＤＭＡ、ＦＤＭＡ、ＴＤＭＡ、ＧＰＲＳ、またはＧＳＭなどの通信プロトコルを使用して、基地局２０２、２０３、２０４に接続している。
【００１５】
図２の無線通信システムの地理的なサービスエリアは、基地局２０２、２０３、および２０４（本明細書では、セルサーバとも称する）により、個々にサービスが提供される領域またはセルに分割される。無線通信システム内で動作する無線装置は、システム内での受信および送信動作用の主要インタフェースとして、特定のセルサーバを選択する。例えば、無線装置１０６はその主要セルサーバとしてセルサーバ２０２を有し、無線装置１０８はその主要セルサーバとして２０４を有している。無線装置は、無線通信システムに最良の通信インタフェースを提供するセルサーバを選択するのが好ましい。通常、これは、無線装置と特定のセルサーバとの間の通信信号の信号品質により決定される。
【００１６】
無線装置はサービスエリア内の種々の地理的場所の間を移動するので、次に主要セルサーバとして機能する別のセルサーバへのハンドオフまたはハンドオーバーが必要となる場合がある。無線装置は、隣接セルにサービスを提供している１つまたは複数の基地局からの通信信号をモニタして、ハンドオフの目的に最も適切な新しいサーバを決定する。無線装置は、隣接セルサーバからの伝送信号の品質をモニタすることに加え、伝送された信号に関連付けられた伝送されたカラーコード情報もモニタし、どの隣接セルサーバが伝送信号の提供元であるかを迅速に特定する。
【００１７】
図３は、本発明の好ましい一実施形態による無線装置３００を示すブロック図である。図３は携帯電話無線装置３００を示している。本発明の一実施形態において、無線装置３００は、ＣＤＭＡ、ＦＤＭＡ、ＴＤＭＡ、ＧＰＲＳ、ＧＳＭ等の通信プロトコルに基づいて、通信チャンネル上で無線周波数信号を送受信できる双方向無線機である。
【００１８】
無線装置３００は、該無線装置３００を受信モードと送信モードの間で切り替えるコントローラ（またはプロセッサ）３０２の制御下で動作する。装置またはシステムに関して
本明細書で使用するとき、コントローラおよびプロセッサという用語は、装置またはシステムの制御および／または処理の機能および操作を表すために、互換可能に使用される。コントローラ３０２は、受信モードでは、送信／受信スイッチ３２０を通してアンテナ３１８を受信器３１６に結合する。受信器３１６は、受信信号をデコードしてデコードした信号をコントローラ３０２に供給する。コントローラ３０２は、送信モードでは、スイッチ３２０を通してアンテナ３１８を送信器３２２に結合する。
【００１９】
コントローラ３０２は、メモリ３０８に格納された命令、データ、および構成パラメータに従って、送信器３２２および受信器３１６を操作する。命令は、例えば、隣接セル測定スケジューリングアルゴリズムを含んでいる。本発明の好ましい実施形態において、メモリ３０８は、不揮発性メモリ、フラッシュメモリ、またはランダムアクセスメモリのいずれか１つまたは任意の組合せを含んでいる。タイマモジュール３０６は、コントローラ３０２にタイミング情報を供給して、時限イベントを追跡する。さらに、コントローラ３０２は、タイマモジュール３０６からの時間情報を利用して、隣接セルサーバの伝送および伝送されたカラーコード情報用のスケジューリングを追跡し続ける。
【００２０】
隣接セルの測定が予定されている場合、受信器３１６は、コントローラ３０２の制御下で、隣接セルサーバをモニタし、「受信信号品質インジケータ」（ＲＳＱＩ）を受信する。ＲＳＱＩ回路３１４は、モニタされた各セルサーバにより送信された信号の信号品質を表すＲＳＱＩ信号を生成する。各ＲＳＱＩ信号は、Ａ／Ｄ変換器３１２によりデジタル情報に変換され、入力としてコントローラ３０２に供給される。無線装置３００は、ハンドオフが必要な場合には、カラーコード情報および関連する受信信号品質インジケータを使用して、主要セルサーバとして使用するのに最も適切な隣接セルサーバを決定する。
【００２１】
図３のプロセッサ３０４は、後述するように、プッシュトゥトークインジケータによる機能などの種々の機能を実行する。本発明の種々の実施形態において、図３のプロセッサ３０４は、後述のタスクを実行する単一のプロセッサまたは複数のプロセッサを含んでいる。図３は、本発明の全プロセス中に使用され得る情報を格納する記憶装置モジュール３１０も含んでいる。
【００２２】
一実施形態において、無線装置３００は無線電話である。この実施形態において、図３の無線装置３００は、無線装置３００にオーディオを入力し、ユーザが聞くオーディオを出力するのを可能にするオーディオ入出力モジュール３２４をさらに含んでいる。無線装置３００は、携帯電話のユーザに対して情報を表示するディスプレイ３２８をさらに含んでいる。ユーザを無線装置３００と交信可能にするユーザインタフェース３２６も含んでいる。ユーザインタフェース３２６は、一個のボタンまたは一群のボタンを含むことができる。一実施形態において、インタフェースは、３個のボタン、すなわちデータを送信する第１のボタン、データを受信する第２のボタン、およびデータを同期させる第３のボタンを含んでいる。ユーザインタフェース３２６の機能を、以下にさらに詳細に説明する。
【００２３】
図３は、無線装置３００の場所および／または速度情報を決定する任意の全地球測位システム（ＧＰＳ）モジュール３３０も示している。このモジュール３３０は、ＧＰＳサテライトシステムを使用して、無線装置３００の場所および／または速度を決定する。装置３００は、ＧＰＳモジュール３３０の代わりに、無線セルタワー三角測量およびアシストＧＰＳを使用するなど、無線装置３００の場所および／または速度を決定する代替モジュールを含んでいてもよい。
【００２４】
図４は、本発明の好ましい一実施形態による無線装置３００の図である。図４に携帯電話無線装置３００を示している。携帯電話３００は、ＣＤＭＡ、ＦＤＭＡ、ＴＤＭＡ、ＧＰＲＳ、ＧＳＭ等の通信プロトコルに基づいて、通信チャンネル上で無線周波数信号を送
受信できる双方向無線機である。
【００２５】
携帯電話３００は、電話番号などの情報を入力し、電話の呼出しに応答するまたは通話を開始するなどのコマンドを与える複数のボタンなどのキーパッド４０２すなわちインタフェースを含んでいる。キーパッド４０２は、周辺光がほとんどないかまたはまったくないエリアに携帯電話がある場合に、ユーザによるボタンの視認を可能にすべく、典型的にはバックライト付きである。発光素子（ＬＥＤ）、エレクトロルミネッセンス（ＥＬ）パネル、または他の発光素子を使用して、キーパッド４０２にバックライトを設けることができる。
【００２６】
携帯電話３００は、電話番号および呼出し状態情報、ならびに視覚的インジケータなどの、携帯電話３００の使用に関係する情報を表示するディスプレイ３２８をさらに含んでいる。ディスプレイ３２８として、ＬＣＤ、ＰＤＰ、または情報を表示する任意の他の種類のディスプレイを使用することができる。ディスプレイ３２８は、周辺光がほとんどないかまたはまったくないエリアに携帯電話３００がある場合に、ユーザによるディスプレイ３２８の視認を可能にすべく、典型的にはバックライト付きである。ＬＥＤ、ＥＬパネル、または他の発光素子を使用して、ディスプレイ３２８にバックライトを設けることができる。携帯電話３００は、指示／警告を装置、例えば携帯電話３００のユーザと通信するのに、少なくとも１つのインジケータをさらに含んでいる。インジケータは、例えば、視覚的インジケータ、ディスプレイインジケータ、ユーザに対して警報による指示／警告音を生成する聴覚インジケータ、およびユーザに対して触覚による指示／警告を生成する触覚インジケータのいずれかを含んでいてもよい。
【００２７】
携帯電話３００は、無線周波数を介して情報を送受信するアンテナ３１８と、通話中にユーザがオーディオを聞き、かつオーディオの提供を可能にするスピーカ４０４／マイクロホン４０６のペアとをさらに含んでいる。図４には、通話中に音声チャンネル上でデータを送信し、データを受信し、データを同期させるためなど、携帯電話３００のユーザと通信する、コントローラ３０２に電気的に結合されたユーザインタフェース３２６も示されている。音声チャンネル通信は、携帯電話、双方向無線機、無線通信装置、電話装置、および有線および／または無線通信を含む通信ネットワーク上のオーディオ通信を支援可能な任意の装置のうちの少なくとも１つのような、他の任意の通信装置を備えることができる。
【００２８】
図４において、ユーザインタフェース３２６は、３個のボタン、すなわちデータを送信（または転送）する第１のボタン４１０、データを同期させる第２のボタン４１１、およびデータを受信する（または取り込む）第３のボタン４１２を含んでいる。なお、ボタン４１１は、例えばイタリック体の「ｉ」を有する記号を含んでいる。ボタン４１０、４１１、および４１２の機能を以下にさらに詳細に説明する。本実施例は、ユーザインタフェース３２６上の物理的なボタンを使用して示されているものの、ボタン４１０、４１１、および４１２の機能は、ユーザインタフェース３２６の一部として示されるディスプレイ３２８などのディスプレイにおける視覚的表示を用いて実現されてもよく、あるいは代替方法として、本考察に照らして当業者には明白であろう別の表示を用いて実現されてもよいことが、本考察に照らして当業者には明白であることに留意されたい。これらの視覚的表示は、物理的なボタンに非常に類似するものと考えてもよく、また、類似の働きを示し、ユーザからのユーザ入力（例えば、ボタンの選択など）を受け付けることができる。例えば、ユーザは、ディスプレイ３２８上で「ボタンを押す」ために、ディスプレイ３２８の画面上でそのような視覚的表示と物理的な接触を行い得る。ユーザによるこのユーザ入力動作は、例えば、ディスプレイ３２８のセンサ、および／またはディスプレイ３２８上のタッチスクリーンによってなど、ユーザインタフェース３２６により検出することができる。ユーザインタフェースによるこの検出は、コントローラ３０２によるユーザ入力の
検出に対応しており、コントローラ３０２とユーザインタフェース３２６との組合せは、ユーザインタフェース３２６の起動を検出する検出器を構成し、本実施例では携帯電話３００である装置のユーザによるユーザ入力を提供する。検出器は、ユーザインタフェース要素の任意の組合せを介してのユーザインタフェース３２６による検出、例えば、ボタン４１０、４１１、および４１２による、ディスプレイ３２８のセンサおよび／またはディスプレイ３２８上のタッチスクリーンによる、あるいはこれらの要素および／または本考察に照らして当業者には明白であるユーザインタフェース３２６の他の同等の要素の任意の組合せによる検出を用いて、実現することができることにも留意されたい。次に、検出されたディスプレイ３２８でのユーザ入力動作は、当業者にはよく知られている方法により、物理的なボタン４１０、４１１、および４１２からのユーザ入力をユーザインタフェース３２６で検出するのと同様な方式で、ユーザインタフェース３２６から携帯電話３００への信号として供給される。
【００２９】
図５および図６は、本発明の好ましい一実施形態による全体的なプロセスを示す動作フローチャートを含んでいる。図５の動作フローチャートは、無線ネットワーク１０４上の、無線装置１０６と１０８などの複数の無線装置との間のデータ交換の全体的なプロセスを示している。図５の動作フローチャートは、ステップ５０２から始まり、直接ステップ５０４に進む。
【００３０】
ステップ５０４において、無線装置１０６と別の無線装置１０８との間で接続が確立される。一実施形態において、接続は、通常のＰＯＴＳ電話呼などのオーディオ接続である。ステップ５０６において、２つの当事者、すなわち無線装置１０６と１０８のユーザは、通常の接続上でオーディオを交換する。ステップ５０８において、無線装置１０６のユーザは、データを送信する（または転送する）ボタン４１０、データを同期させるボタン４１１、およびデータを受信する（または取り込む）ボタン４１２を含むユーザインタフェース３２６を起動する。ステップ５１０において、どのボタンが押されたかが判断される。ボタン４１０が押された場合には、制御はステップ５１２に進む。ボタン４１１が押された場合には、制御はステップ５２２に進む。ボタン４１２が押された場合には、制御はステップ５３２に進む。３個のボタンすべてが押された場合には、制御は図６に続くステップ５１１に進む。
【００３１】
ステップ５１２で、ここではデータを送信（または転送）するボタン４１０が押されたが、無線装置１０６は無線装置１０８に送信または転送するデータを特定する。本発明の一実施形態において、無線装置１０６のユーザは送信用のデータを特定する。ユーザは、無線装置１０６のディスプレイ３２８を介して送信アイテムを選択するメニューまたは他のユーザインタフェースを用いて、このタスクを行う。送信されるアイテムは、電話帳入力、カレンダー入力、許可要求（会話を記録する許可要求など）、顔のアイコン（顔文字など）、テキストメッセージ、コンタクト情報セット（Ｖ−ｃａｒｄなど）、アプリケーション等を含む種々のアイテムのいずれであってもよい。
【００３２】
ステップ５１３において、無線装置１０６は特定されたデータを送信する。ステップ５１４において、無線装置１０６により送信されたデータは、無線装置１０８で受信され、メモリに格納される。データの伝送は、２つの装置に限定されるものではなく、本考察に照らして当業者には明白であろうと考えられるように、データの伝送のために任意の数の装置が通信してもよい。上述の転送動作は通話中に生じるが、通話品質には影響しない。任意のステップで、特定されたデータにはメタデータが関連付けられて、無線装置１０６および１０８に格納される。メタデータは、データ交換の日時ならびに関与する当事者に関する情報、および特定されたデータに関する他の情報を含んでいる。
【００３３】
ステップ５３２において、ここではデータを受信する（または取り込む）ボタン４１２
が押されていたが、無線装置１０６は無線装置１０８から受信するまたは取り込むデータを特定する。データの伝送は、２つの装置に限定されるものではなく、本考察に照らして当業者には明白であろうと考えられるように、データの伝送のために任意の数の装置が通信してもよい。本発明の一実施形態において、無線装置１０６のユーザは取り込みデータを特定する。ユーザは、無線装置１０６のディスプレイ３２８を介して取り込むアイテムを選択するメニューまたは他のユーザインタフェースを用いて、このタスクを行う。１つの代替形態において、無線装置１０６は、取り込みが可能な無線装置１０８上のアイテムの全部または一部のリストを要求するメッセージを、無線装置１０８に送信する。無線装置１０８は、リストにより無線装置１０６に応答する。ステップ５３３において、無線装置１０６は、無線装置１０６が無線装置１０８から取り込みたいアイテムの識別を示すメッセージを、無線装置１０８に送信する。
【００３４】
無線装置１０６により無線装置１０８から取り込まれるアイテムは、電話帳入力、カレンダー入力、許可要求、顔のアイコン、テキストメッセージ、コンタクト情報セット、アプリケーション等を含む、種々のアイテムのいずれであってもよい。ステップ５３４において、無線装置１０８は特定されたデータを送信する。ステップ５３５において、無線装置１０８により送信されたデータは、無線装置１０６で受信され、格納される。上述の取り込み操作は通話中に生じるが、通話品質には影響しない。任意のステップで、特定されたデータにはメタデータが関連付けられて、無線装置１０６および１０８に格納される。メタデータは、データ交換の日時ならびに関与する当事者に関する情報、および特定されたデータに関する他の情報を含んでいる。
【００３５】
ステップ５２２において、ここではデータを同期させるボタン４１１が押されていたが、無線装置１０６は無線装置１０８に同期用のデータを特定する。データの同期は、２つの装置に限定されるものではなく、本考察に照らして当業者には明白であろうと考えられるように、データの伝送のために任意の数の装置が通信してもよい。以下にさらに詳細に説明するように、ソフトウェアルーチンおよびアルゴリズムに従って動作するプロセッサ／コントローラ３０２、ならびにメモリ３０８に格納された関連データとパラメータおよび任意な少なくとも１つの情報ファイルにより、無線装置１０６のような装置のこの有利な特徴の同期装置を実現できることにも留意されたい。本発明の典型的な一実施形態において、無線装置１０６のユーザは、同期用のデータを特定する。ユーザは、無線装置１０６のディスプレイ３２８を介して同期させるアイテムを選択するメニューまたは他のユーザインタフェースを用いて、このタスクを行う。１つの代替形態において、無線装置１０６は、同期可能な無線装置１０８上のアイテムの全部または一部のリストを要求するメッセージを、無線装置１０８に送信する。無線装置１０８は、リストにより無線装置１０６に応答する。ステップ５２３において、無線装置１０６は、無線装置１０６が無線装置１０８からのアイテムに同期させたいアイテムの識別を示すメッセージを、無線装置１０８に送信する。
【００３６】
無線装置１０８と無線装置１０６との間で同期されるアイテムは、電話帳入力、カレンダー入力、許可要求、顔のアイコン、テキストメッセージ、コンタクト情報セット、アプリケーション等を含む、種々のアイテムのいずれであってもよい。ステップ５２４において、無線装置１０６は、特定されたデータを無線装置１０８に同期させる。ステップ５２５において、データは両方の無線装置間で同期され、そのように格納される。上述の同期化動作は通話中に生じるが、通話品質には影響しない。任意のステップで、同期されたデータにはメタデータが関連付けられて、無線装置１０６および１０８に格納される。メタデータは、データ交換の日時ならびに関与する当事者に関する情報、および特定されたデータに関する他の情報を含んでいる。
【００３７】
ステップ５１１において、ここではすべてのボタンが押されていたが、動作シーケンス
は図５から図６に進む（図５のフローを図６のフローに接続する接続部分Ａ５１１を参照）。図６を参照して、動作フローチャートは図５の動作フローシーケンスに続いている。図６のステップ６４２において、無線装置１０６は、無線装置１０８または他の好適な装置に送信または転送するデータを特定する。本発明の典型的な一実施形態において、無線装置１０６のユーザは送信用のデータを特定する。ステップ６４３において、無線装置１０６は特定されたデータを送信する。ステップ６４４において、無線装置１０６により送信されたデータは、無線装置１０８で受信され、格納される。
【００３８】
ステップ６５２において、無線装置１０６は、無線装置１０８または他の好適な装置から受信するまたは取り込むデータを特定する。本発明の典型的な一実施形態において、無線装置１０６のユーザは取り込むデータを特定する。１つの代替形態において、無線装置１０６は、取り込み可能な無線装置１０８上のアイテムの全部または一部のリストを要求するメッセージを、無線装置１０８に送信する。無線装置１０８は、リストにより無線装置１０６に応答する。ステップ６５３において、無線装置１０６は、無線装置１０６が無線装置１０８から取り込みたいアイテムの識別を示すメッセージを、無線装置１０８に送信する。ステップ６５４において、無線装置１０８は特定されたデータを送信する。ステップ６５５において、無線装置１０８により送信されたデータは、無線装置１０６で受信され、格納される。
【００３９】
ステップ６６２において、無線装置１０６は、無線装置１０８、または無線装置１０６のユーザのパーソナルコンピュータのような他の装置に同期させるデータを特定する。本発明の典型的な一実施形態において、無線装置１０６のユーザは同期用のデータを特定する。１つの代替形態において、無線装置１０６は、同期可能な無線装置１０８上のアイテムの全部または一部のリストを要求するメッセージを、無線装置１０８に送信する。無線装置１０８は、リストにより無線装置１０６に応答する。ステップ６６３において、無線装置１０６は、無線装置１０６が無線装置１０８からのアイテムに同期させたいアイテムの識別を示すメッセージを、無線装置１０８に送信する。ステップ６６４において、無線装置１０８は、特定されたデータを無線装置１０８に同期させる。ステップ６６５において、データは両方の無線装置間で同期され、そのようなものとして格納される。
【００４０】
上述の転送、取り込み、および同期動作は通話中に起こすことができるが、通話品質には影響しない。任意のステップで、同期されたデータにはメタデータが関連付けられて、無線装置１０６および１０８に格納される。メタデータは、データ交換の日時ならびに関与する当事者に関する情報、および特定されたデータに関する他の情報を含んでいる。
【００４１】
本発明の典型的な一実施形態において、（ステップ５１１のように）ユーザが３個のボタン４１０、４１１、および４１２のすべてをほぼ同時にまたは１つずつ起動した場合、交換された情報には、その情報に対して３つの通信方法がすべて使用されたことを示す記号またはアイコン（図４のボタン４１１上の記号など）のタグが付けられる。ユーザにより３個のボタンすべてが一度に起動された場合、記号が点灯して、３個のボタンすべてを押すことに成功したことを示す。例えば、別の人とＶｃａｒｄを交換する場合、３個のボタンを押すことにより、すべて移動体通信を介して、第１の当事者のＶｃａｒｄが第２の当事者に転送され、第２の当事者のＶｃａｒｄが取り込まれ、新たなＶｃａｒｄが第１の当事者のパーソナルコンピュータに同期される。両当事者の装置内のメモリに格納されたＶｃａｒｄには、この種のトランザクションが生じたことを示すアイコンのタグが付けられる。第１の装置と第２の装置（例えば、両当事者の装置）との間で交換された情報は、例えば情報ファイルとして、ローカルデバイス内のメモリに格納することができる。情報ファイルなどの交換された情報は、装置のメモリ内に完全に格納されて、第１の装置と第２の装置との間の情報交換に関する事前定義設定を完了するのが好ましい。情報交換の結果として第１の装置に格納された、第２の装置からの（例えば、第２の情報ファイルとし
ての）情報は、一実施形態によれば、第１の装置に以前に格納された（例えば、第１の情報ファイルとしての）情報に関連している。例えば、当事者はＶｃａｒｄまたは他のドキュメントを交換することができる。なお、第２の情報ファイルは、第１の情報ファイルと同じ情報を含む必要がないことに留意されたい。さらに、第１の装置の少なくとも１つのインジケータ、例えば、視覚インジケータ、聴覚インジケータ、および触覚インジケータは、少なくとも第２の情報ファイルがメモリに作成されたときに、装置のユーザにそのことを示すのが好ましい。
【００４２】
別の例は、カレンダーアポイントメントであろう。カレンダーアポイントメントは、３個のボタンを使用することにより、他者に転送されるととともに第１の当事者のＰＣに同期される。さらに、カレンダー入力は、この情報が無線装置、すなわちＰＣ上にあり、また他者と共有されていることを示すアイコンを有する。次に、アイコンをクリックすることにより、第１の当事者が「データを交換した」１つまたは複数の当事者が示される。メッセージの例では、このメッセージに関連するこれらの通信方法を介して、第１の当事者が誰と、いつ、および何を転送したかを示す記号を選択することができる。
【００４３】
記号は、ドキュメントがＰＣに同期されていることを迅速に理解する能力を提供し、（現在の機能によっては）必ずしも同一ドキュメントではない、関連ドキュメントが、他者に同期されていることも示している。Ｖｃａｒｄは、第１の当事者のものと第２の当事者のものが関連しているが同一ではない、２つの異なるドキュメントの一例である。したがって、この例は必ずしも、複数のユーザが同一ドキュメントのコピーを有していることを示すこととは同じではない。カレンダーアポイントメントは、あらゆるところにある同じ情報の一例である。記号は、複数の団体にドキュメントに関連するコピーまたは情報が送信されたことを示している。ドキュメントが変更された場合、アイコンをクリックすることにより、元のドキュメントを受信した当事者が識別される。ドキュメントを更新する（およびその後任意にアイコンをクリックする）ことにより、新たなドキュメントを、元のドキュメントを受信した当事者に同期させることができる。
【００４４】
図７は、本発明の好ましい一実施形態の更新プロセスを示す典型的な動作フローチャートである。図７の動作フローチャートは、無線ネットワーク１０４上で、無線装置１０６および１０８などの複数の無線装置間でデータを更新するプロセスを示している。図７は、図５および／または６に関連して上記に詳述したプロセス、すなわち、ステップ５１２〜５１４の転送プロセス、ステップ５３２〜５３５の取り込みプロセス、ステップ５２２〜５２５の同期プロセス、およびステップ６４２〜６６５の転送／取り込み／同期の組合せプロセスのいずれか１つの後に開始される。図７の動作フローチャートは、ステップ７０２から始まり、直接ステップ７０４に進む。
【００４５】
ステップ７０４において、交換された（転送されたか、取り込まれたか、同期されたか、またはそのすべて）データが修正される。ステップ７０６において、更新プロセスが開始される。一実施形態では、更新プロセスは、交換されたデータに関連付けられたアイコンをユーザがクリックすることにより開始される。別の実施形態では、更新プロセスは、交換されたデータが修正されたときに自動的に開始される。
【００４６】
ステップ７０８において、交換されたデータに関連付けられたメタデータが処理される。データ交換ごとの後に、交換されたデータにメタデータが関連付けられ、関与するすべての当事者の無線装置に格納されることを思い出されたい。メタデータは、データ交換の日時および関与する当事者に関する情報、および交換されたデータに関する他の情報を含んでいる。
【００４７】
ステップ７１０において、関与する当事者の識別は、メタデータ、およびオリジナルデ
ータの交換の種類（転送する、取り込む、同期させる、またはそのすべて）から決定される。次に、最初の動作が再び実行される。転送が起こった場合には、ステップ７１２において、制御はステップ５１２に進む。取り込みが起こった場合には、ステップ７２２において、制御はステップ５２２に進む。同期が起こった場合には、ステップ７３２において、制御はステップ５３２に進む。３つの動作すべてが起こった場合には、ステップ７１１において、制御は図６に続くステップ５１１に進む。
【００４８】
本発明は、無線装置３００におけるハードウェア、ソフトウェア、またはハードウェアとソフトウェアの組合せで実現することができる。本発明の好ましい一実施形態によるシステムは、（無線装置３００の）１つのコンピュータシステムに集中化された方式で、または複数の相互接続されたコンピュータシステム全体に異なる要素が拡散している場合には分散方式で、実現することができる。本明細書に記載の方法を実行するように適用された、あらゆる種類のコンピュータシステムまたは他の装置が適合する。ハードウェアおよびソフトウェアの典型的な組合せは、コンピュータプログラムがロード、実行された場合に、プロセッサが本明細書に記載の方法を実行するように該プロセッサを制御するコンピュータプログラムを備えた汎用プロセッサであってもよい。例えば、上述したように、ユーザインタフェース３２６と結合されたコントローラ３０２を用いて、検出器を実現することができ、ソフトウェア、パラメータ、およびデータは、プロセッサ／コントローラ３０２に結合されたメモリ３０８に格納することができる。コントローラ３０２は、メモリ３０８に格納されたソフトウェアルーチンおよびアルゴリズムに従って、検出器を実現するように動作する。第２の例として、ソフトウェアルーチンおよびアルゴリズム、ならびにメモリ３０８に格納された関連データとパラメータおよび任意の少なくとも１つの情報ファイルに従って動作するプロセッサ／コントローラ３０２により、同期装置を実現することができる。コントローラ３０２は、データを受信器３１６および送信器３２２と結合し、上述したような音声チャンネルとのデータの送受信を行い、それにより、通話中に音声チャンネル上でデータを同期させる。
【００４９】
本発明はまた、本明細書に記載の方法を具現化できるあらゆる特徴となる要素を含んでおり、かつシステム内にロードされたときにそのような方法を実行できるコンピュータプログラム製品（例えば、無線装置３００）に組み込むこともできる。本発明の文脈におけるコンピュータプログラム手段またはコンピュータプログラムは、情報処理能力を有するシステムに、すぐに、または、ａ）別の言語、コード、または表記への変換、ｂ）異なる構成要素の形態への複製、のいずれかまたは両方の後で、特定の機能を実行させることを意図する任意の言語、コード、または表記の命令群のあらゆる表現を意味している。
【００５０】
各コンピュータシステムは、特に、１つまたは２つ以上のコンピュータと、データ、命令、メッセージまたはメッセージパケット、およびコンピュータ可読媒体からの他のコンピュータ読取り可能な情報をコンピュータで読取れるようにする、少なくとも１つのコンピュータ可読媒体とを含むことができる。コンピュータ可読媒体は、ＲＯＭ、フラッシュメモリ、ディスクドライブメモリ、ＣＤ−ＲＯＭ、および他の永久記憶装置などの不揮発性メモリを含んでいてもよい。また、コンピュータ媒体は、例えば、ＲＡＭ、バッファ、キャッシュメモリ、およびネットワーク回路などの、揮発性記憶装置を含んでいてもよい。さらに、コンピュータ可読媒体は、コンピュータがそのようなコンピュータ読取り可能な情報を読取ることを可能にする、有線ネットワークまたは無線ネットワークを含んだネットワークリンクおよび／またはネットワークインタフェースなどの一時的な状態の媒体に、コンピュータ読取り可能な情報を含んでいてもよい。
【００５１】
本発明の特定の実施形態を開示してきたが、当業者であれば、本発明の精神および趣旨から逸脱することなく、特定の実施形態に変更を行うことができることを理解するであろう。したがって、本発明の範囲は特定の実施形態に限定されるべきではなく、また、添付
の特許請求の範囲は、本発明の範囲内にあるそのような応用例、修正例、および実施形態を含むものとする。
【図面の簡単な説明】
【００５２】
【図１】本発明の好ましい一実施形態による無線通信システムを示すブロック図。
【図２】図１の無線通信システムのさらに詳細なブロック図。
【図３】本発明の好ましい一実施形態による無線装置を示すブロック図。
【図４】本発明の好ましい一実施形態による無線装置の図。
【図５】本発明の好ましい一実施形態による全体的な動作シーケンスを示す動作フローチャート。
【図６】本発明の好ましい一実施形態による全体的な動作シーケンスを示す動作フローチャート。
【図７】本発明の好ましい一実施形態による更新プロセスを示す動作フローチャート。
【図１】
2007511138.tif 000003
【図２】
2007511138.tif 000004
【図３】
2007511138.tif 000005
【図４】
2007511138.tif 000006
【図５】
2007511138.tif 000007
【図６】
2007511138.tif 000008
【図７】
2007511138.tif 000009
【国際調査報告】
2007511138.tif 000010
2007511138.tif 000011